(57)【要約】【課題】本発明は従来のネジキャップの位置決め問題を解決するためのネジキャップを提供することを目的とし、ネジ始まりを滑らかなままで、簡単に位置決めが可能なネジキャップを提供することを目的とする。【解決手段】本発明のネジキャップは、容器本体の口部に取り付けられるネジキャップであって、前記ネジキャップは、上面部、および、筒状の側面部を有し、前記側面部の内面は円筒形状からなり、かつ、ネジが設けられており、前記上面部の底面には、前記ネジとリードが同じまたはそれ以下である、円弧状の傾斜面が設けられている。【選択図】図１
2020104889.tif 000002
【特許請求の範囲】
【請求項１】
容器本体の口部に取り付けられるネジキャップであって、
前記ネジキャップは、上面部、および、筒状の側面部を有し、
前記側面部の内面は円筒形状からなり、かつ、ネジが設けられており、
前記上面部の底面には、前記ネジとリードが同じまたはそれ以下である、円弧状の傾斜面が設けられていることを特徴とするネジキャップ。
【請求項２】
前記傾斜面は、前記底面から下方に傾斜する凸部として設けられていることを特徴とする請求項１に記載のネジキャップ。
【請求項３】
前記傾斜面は、前記底面に設けられた環状凸部から下方に傾斜する凸部として設けられていることを特徴とする請求項１に記載のネジキャップ。
【請求項４】
前記傾斜面は、前記底面から上方に傾斜する凹部として設けられていることを特徴とする請求項１に記載のネジキャップ。
【発明の詳細な説明】
【技術分野】
【０００１】
本発明は、加飾が施されるネジキャップに関し、加飾の際に位置決め可能な手段を有するネジキャップに関する。
【背景技術】
【０００２】
容器本体、および、容器本体の口部に螺合されるネジキャップから構成される容器は、様々な用途で用いられているが、用途に応じて容器には印刷などの加飾が施されている。容器本体だけでなくネジキャップにも加飾を施す場合、加飾の形態によってはネジキャップの加飾と容器本体の加飾にずれが生じないようにしなければならないケースがある。
【０００３】
このように加飾のずれを防止するためにネジキャップの所定の場所に加飾を正確に行うためには、ネジキャップに加飾をする際にネジキャップの向きを特定し位置決めを行った上で、所定の位置に加飾を正確に行う必要があるが、円筒形状の側面部を有するネジキャップの場合特に位置決めが困難であった。
【０００４】
このようなネジキャップに加飾する際にネジキャップを位置決めする方法として、従来は、ネジキャップ裾の回り止めの一部を大きく形成し、位置決め用部材として利用する方法、ネジ始まりに位置決め手段を設ける方法、その他にはネジキャップの側面部の内側面に位置決め用リブを設ける方法（特許文献１参照）などが用いられている。
【先行技術文献】
【特許文献】
【０００５】
【特許文献１】特開２０１２−８１９６６号公報
【発明の概要】
【発明が解決しようとする課題】
【０００６】
しかしながら、従来のネジキャップの位置決め方法は、ネジキャップ裾の回り止めを利用する場合、ネジ位置が一定でないと位置決めの機能を果たせないという問題があり、ネジ始まりを利用する方法の場合、ネジを滑らかにボカスことができないという問題があり、また、ネジキャップの側面部の内側面に位置決め用リブを設ける方法は、ネジ螺合するキャップには適用できないという問題があった。
【０００７】
そこで、本発明は従来のネジキャップの位置決め問題を解決するためのネジキャップを提供することを目的とし、ネジ始まりを滑らかなままで、簡単に位置決めが可能なネジキャップを提供することを目的とする。
【課題を解決するための手段】
【０００８】
本発明のネジキャップは、容器本体の口部に取り付けられるネジキャップであって、前記ネジキャップは、上面部、および、筒状の側面部を有し、前記側面部の内面は円筒形状からなり、かつ、ネジが設けられており、前記上面部の底面には、前記ネジとリードが同じまたはそれ以下である、円弧状の傾斜面が設けられていることを特徴とする。
【０００９】
前記傾斜面は、前記底面から下方に傾斜する凸部として設けられている。
【００１０】
前記傾斜面は、前記底面に設けられた環状凸部から下方に傾斜する凸部として設けられている。
【００１１】
前記傾斜面は、前記底面から上方に傾斜する凹部として設けられている。
【発明の効果】
【００１２】
本発明のネジキャップは、容器本体の口部に取り付けられるネジキャップであって、前記ネジキャップは、上面部、および、筒状の側面部を有し、前記側面部の内面は円筒形状からなり、かつ、ネジが設けられており、前記上面部の底面には、前記ネジとリードが同じまたはそれ以下である、円弧状の傾斜面が設けられていることにより、ネジと連動した傾斜面によって、加飾作業の際に、所定の位置で前記ネジキャップを固定することができるようになり、さらに、ネジ自体に部材を設けることがないので、キャッピング性能を維持することができる。
【００１３】
前記傾斜面は、前記底面に設けられた環状凸部から下方に傾斜する凸部として設けられていることにより、前記環状凸部をパッキンなどを収容するための壁を用いることができる。
【００１４】
前記傾斜面は、前記底面から上方に傾斜する凹部として設けられていることにより、前記ネジキャップを使用する際に底面の全面にパッキンを取り付けることにより、凹部を隠すことができるようになる。
【図面の簡単な説明】
【００１５】
【図１】第１の実施形態のネジキャップの下方からの斜視図である。
【図２】第１の実施形態のネジキャップの下方からの斜視断面図である。
【図３】第１の実施形態のネジキャップの底面図である。
【図４】第２の実施形態のネジキャップの下方からの斜視図である。
【図５】第２の実施形態のネジキャップの下方からの斜視断面図である。
【図６】第２の実施形態のネジキャップの底面図である。
【発明を実施するための形態】
【００１６】
本発明のネジキャップについて、図面を参照しながら、以下に詳細に説明する。図１に示すのが、本発明の第１の実施形態のネジキャップ１の斜視図であり、図２に示すのが斜視断面図である。図３に示すのが平面図である。
【００１７】
本発明の第１の実施形態のネジキャップ１は、図１〜３に示すように、円筒形状の側面部２、前記側面部２の上部に一体に形成されている上面部３から構成され、前記側面部２の内面に設けられたネジ４によって、容器本体の口部（図示せず）に螺合されて固定される。前記上面部３の底面には、パッキン７をネジキャップ１に固定する際の壁となる環状凸部６が下方に突出するように設けられており、前記環状凸部６の下面に円弧状の傾斜面５が設けられている。
【００１８】
前記環状凸部６の高さは前記ネジ４のリード以下に形成されており、前記側面部２の内面から所定の間隔を有するように前記環状凸部６が形成されており、前記環状凸部６と前記側面部２の内面との間に前記パッキン７が収容される。
【００１９】
前記傾斜面５は、前記環状凸部６の下面から、前記環状凸部６と同じ幅で下方に傾斜して円弧状に延伸する凸部として形成されている。前記傾斜面５は前記ネジ４のリードと同じまたはそれ以下のリードを有している。本実施形態のネジキャップ１は、加飾を施すために、例えば印刷装置の加飾対象物を保持する治具に取り付ける際に、前記治具に凸部の形態の前記傾斜面５に対応する凹部を設けておき、前記ネジキャップ１を螺合させて取り付けると、前記傾斜面５が前記凹部に挿入され、前記傾斜面５の端部の段差が前記凹部の端部と当接し、前記ネジキャップ１は前記治具との相対位置が常に一定の状態で正確に位置決めされて固定されることができる。
【００２０】
本実施形態のネジキャップ１は、容器本体の口部に螺合された時、前記口部の上端は前記パッキン７と当接することになるので、前記傾斜面５は前記口部の内側に位置し、前記ネジキャップ１の使用には全く影響を与えることがない。そして、前記ネジキャップ１のネジ４は従来と同様にネジ始まりを滑らかにぼかすことができるので、キャッピング性能も十分に確保することができる。
【００２１】
前記ネジキャップ１の円弧状の傾斜面５の長さは一周内であればよい。そして、前記傾斜面５の幅については、特に制限は無い。前記傾斜面５は、前記ネジ４のリードと同じまたはそれ以下のリードを有していればよいので、前記ネジ４のリードを変更する場合は、前記傾斜面５のリードを同様に変更することで対応可能である。前記傾斜面５のリードは、前記ネジ４のリードよりも大きくすると、ネジキャップ１を金型で成形した後、金型から前記ネジキャップ１を取り外すことができなくなることから、前記ネジ４のリードの変更に合わせて、前記傾斜面５のリードは前記ネジ４のリードと同じまたはそれ以下となるように変更する必要がある。また、前記環状凸部６を設けないで、前記上面部３の底面に直接、前記傾斜面５を設けることも可能である。
【００２２】
また、前記側面部２の形状は円筒形状に限定するものではなく、内面がネジ４が設けられるように円筒形状であればよく、外面については円筒形状だけではなく、様々な形状とすることが可能である。
【００２３】
次に、第２の実施形態のネジキャップ１１について説明する。第２の実施形態のネジキャップ１１は、図４〜６に示すように、円筒形状の側面部１２、前記側面部１２の上部に一体に形成されている上面部１３から構成され、前記上面部１３の底面に傾斜面１５が設けられており、前記側面部１２の内面に設けられたネジ１４によって、容器本体の口部に螺合されて固定される。
【００２４】
前記傾斜面１５は、前記底面から上方に傾斜し、円弧状に延伸する凹部の形態で設けられており、前記傾斜面１５は前記ネジ１４のリードと同じまたはそれ以下のリードを有している。前記傾斜面１５のリードは、前記ネジ１４のリードよりも大きくすると、ネジキャップ１１を金型で成形した後、金型から前記ネジキャップ１１を取り外すことができなくなることから、前記傾斜面１５のリードは前記ネジ１４のリードと同じまたはそれ以下とする。
【００２５】
本実施形態のネジキャップ１１は、印刷装置の治具に取り付ける際に、前記治具に凹部の形態の前記傾斜面１５に対応する凸部を設けておき、前記ネジキャップ１１を螺合させて取り付けると、凹部の形態である前記傾斜面１５に前記治具の凸部が挿入され、前記傾斜面１５の端部の段差が前記凸部の端部と当接し、前記ネジキャップ１１は前記治具との相対位置が常に一定の状態で正確に位置決めされて固定されることができる。
【００２６】
本実施形態のネジキャップ１１は、前記傾斜面１５が凹部の形態で形成されていることから、様々な形態のネジキャップとして使用することができる。例えば、前記ネジキャップ１１の上面部１２の底面全面にパッキンを取り付ける場合でも、前記傾斜面１５は突出していないことから、特に加工することなく、前記パッキンを取り付けることができる。
【００２７】
本実施形態のネジキャップ１１は、第１の実施形態のネジキャップ１と同様に、前記ネジ１４は従来と同様にネジ始まりを滑らかにボカスことができるので、キャッピング性能も従来と同様に十分に確保することができる。
【符号の説明】
【００２８】
１，１１    ネジキャップ
２，１２    側面部
３，１３    上面部
４，１４    ネジ
５，１５    傾斜面
６          環状突起
７          パッキン
【図１】
2020104889.tif 000003
【図２】
2020104889.tif 000004
【図３】
2020104889.tif 000005
【図４】
2020104889.tif 000006
【図５】
2020104889.tif 000007
【図６】
2020104889.tif 000008